(57)【要約】【課題】  弦の振動から直接得られる音と、弦の振動により生じる弦楽器本体の音を切り替えて、または、同時に出力可能とする弦楽器用ピックアップケーブルを提供する。【解決手段】  弦楽器のジャックに挿入される入力端子と、弦楽器の内部空間の音を集音して集音電気信号に変換して出力するマイクロホンと、集音電気信号が出力される出力端子と、を有し、マイクロホンは入力端子に内蔵されていること、を特徴とする、弦楽器用ピックアップケーブルによる。【選択図】図１
2014002179.tif 000002
【特許請求の範囲】
【請求項１】
弦楽器のジャックに挿入される入力端子と、
上記弦楽器の内部空間の音を集音電気信号に変換して出力するマイクロホンと、
上記集音電気信号が出力される出力端子と、
を有し、
上記マイクロホンは上記入力端子に内蔵されていることを特徴とする弦楽器用ピックアップケーブル。
【請求項２】
上記入力端子には、通気口が設けられ、
上記マイクロホンは、上記通気口を介して上記弦楽器の内部に連通する空間に配置され、上記内部空間の音を集音する、
請求項１記載の弦楽器用ピックアップケーブル。
【請求項３】
上記入力端子には、上記弦楽器のピックアップが出力したピックアップ電気信号が上記ジャックを介して入力され、
上記ピックアップ電気信号は、上記出力端子から出力される、
請求項１または２記載の弦楽器用ピックアップケーブル。
【請求項４】
上記出力端子は、ステレオ出力端子であって、上記ピックアップ電気信号を出力する第１出力部と、上記集音電気信号を出力する第２出力部と、を備える、
請求項３のいずれかに記載の弦楽器用ピックアップケーブル。
【請求項５】
上記出力端子は、２つのモノラル出力端子で構成され、
一方のモノラル出力端子からは上記ピックアップ電気信号が出力され、
他方のモノラル出力端子からは上記集音電気信号が出力される、
請求項３記載の弦楽器用ピックアップケーブル。
【請求項６】
上記ピックアップ電気信号と上記集音電気信号とを混合して出力する混合器を有し、
上記混合器は、上記ピックアップ電気信号と上記集音電気信号の混合率を決定する決定部を備え、
上記出力端子からは、上記混合器からの出力信号が出力される、
請求項３記載の弦楽器用ピックアップケーブル。
【請求項７】
上記混合器は、上記混合率を決定する際に操作される操作部を備える、
請求項６記載の弦楽器用ピックアップケーブル。
【発明の詳細な説明】
【技術分野】
【０００１】
本発明は、弦楽器用ピックアップケーブルに関するものである。
【背景技術】
【０００２】
ギター、ウクレレ、バイオリンなどの弦楽器は、張設された弦を振動させることで音を出す。この弦楽器から生じる音には、弦の振動から直接得られる音（振動音）と、弦の振動により弦楽器本体（筐体）が弦に共鳴することで生じる音（共鳴音）がある。これら弦楽器の音を、アンプによって増幅してスピーカーなどから出力するには、上記の各音を電気的信号に変換する必要がある。弦楽器の音を電気信号に変換して出力するものとしてピックアップ機構が知られている。
【０００３】
ピックアップ機構には複数の種類があり、それぞれ特徴がある。例えば、弦を保持するブリッジ部に内蔵する「インブリッジ型ピックアップ」は、弦の振動を電気信号に変換して出力するものである。よって、インブリッジ型ピックアップは、弦の近傍にマイクロホンを設置して集音する方法などに比べて、弦の振動以外の音の割合を低くすることができ、弦による音を大きく出力することに適している。しかし、インブリッジ型ピックアップは、弦楽器本体の固有の音（例えば筐体の共鳴音）の出力には不向きである。
【０００４】
また、弦楽器の胴部に貼り付けて設置する「貼り付け型ピックアップ」は、筐体の音を電気信号に変換して出力するものでる。よって、貼り付け型ピックアップは、インブリッジ型ピックアップに比べて、弦楽器本体固有の音の出力に適している。しかし、貼り付け型ピックアップは、筐体の表板に両面粘着テープや接着剤によって貼り付けるので、筐体の複雑な振動特性に合わせる調整作業が必要であって、さらに筐体を傷つける可能性もある。このように、貼り付け型ピックアップは設置作業や調整作業が煩雑である。
【０００５】
そこで、接着剤などを用いることなく、ブリッジ部近傍に圧電素子を設置して固定するピックアップ機構が知られている（例えば、特許文献１を参照）。特許文献１のピックアップ機構によれば、筐体の振動を電気信号に変換することができ、弦のみの振動だけではなく、共鳴音を含む楽器本来の音を忠実に取り出すことができる。しかし、筐体に固定するものであるから、取り付け作業や調整作業は必要である。また筐体表面を傷つける可能性もある。
【先行技術文献】
【特許文献】
【０００６】
【特許文献１】特開２００６−４７９４６号公報
【０００７】
このように、従来のピックアップ機構には、一長一短がある。そこで、より手軽に取り付けや調整を行うことができ、かつ、弦の振動を直接出力することも、弦楽器本来の音を出力することも、どちらも容易にできるピックアップ機構が望まれている。
【発明の開示】
【発明が解決しようとする課題】
【０００８】
本発明は上記の課題に鑑みてなされたものであって、弦楽器に特別なピックアップ機構を配置することなく、弦の振動による振動音と弦楽器内部空間の音（例えば弦楽器本体の共鳴音）の両方を、容易に出力することができる弦楽器用ピックアップケーブルを提供することを目的とする。
【課題を解決するための手段】
【０００９】
本発明は、弦楽器用ピックアップケーブルに関するものであって、弦楽器のジャックに挿入される入力端子と、弦楽器の内部空間の音を集音して集音電気信号に変換して出力するマイクロホンと、集音電気信号が出力される出力端子と、を有し、マイクロホンは入力端子に内蔵されていること、を主な特徴とする。
【発明の効果】
【００１０】
本発明によれば、弦の振動による振動音と、弦楽器の内部空間の音とを、適宜切り替えて出力することができる。また、これら２種類の音を任意の割合で混合して出力することができる。
【図面の簡単な説明】
【００１１】
【図１】本発明に係る弦楽器用ピックアップケーブルの実施の形態を示す弦楽器の代表例であるギターに用いた状態の例を示す図である。
【図２】上記弦楽器用ピックアップケーブルの例を示す平面図である。
【図３】上記弦楽器用ピックアップケーブルの入力端子の縦断面図である。
【図４】上記弦楽器用ピックアップケーブルを上記弦楽器に用いた状態の例を示す拡大縦断面図である。
【図５】上記弦楽器用ピックアップケーブルの結線図である。
【図６】上記弦楽器用ピックアップケーブルの別の例を示す平面図である。
【図７】上記弦楽器用ピックアップケーブルの別の例の結線図である。
【図８】上記弦楽器用ピックアップケーブルの一部である分岐ケーブルの例を示す結線図である。
【図９】上記弦楽器用ピックアップケーブルのさらに別の例を示す平面図である。
【図１０】上記弦楽器用ピックアップケーブルの一部である混合ケーブルの例の結線図である。
【発明を実施するための形態】
【００１２】
●ギターに使用する例
以下、本発明に係る弦楽器用ピックアップケーブルの実施の形態について説明する。図１は、弦楽器用ピックアップケーブル（以下「ピックアップケーブル」という。）１０を用いて、弦楽器の代表例であるギター１００とアンプ２００とを接続した状態の例を示す図である。
【００１３】
図１に示すように、ギター１００は、胴部１０１と、ブリッジ部１０２と、ネック部１０３と、ヘッド部１０４と、弦１０５と、を有してなる。弦１０５は、一方の端部がブリッジ部１０２に保持され、他方の端部がヘッド部１０４に巻き付けられていて、ネック部１０３に沿って複数本並べられた状態で張設されている。弦１０５の張り具合はヘッド部１０４によって調整される。
【００１４】
胴部１０１は、ギター１００の本体である。胴部１０１の内部は空洞になっていて、弦１０５が張設されている前面側に、内部の空洞に通じる孔１０６が形成されている。演奏者が弦１０５を振動させると、その振動は孔１０６から胴部１０１の空洞（内部空間）に進入して、内部の空洞で共鳴する。この内部空間の音（例えば共鳴音）がギター１００の本来の音となる。
【００１５】
また、ブリッジ部１０２と孔１０６との間には、ブリッジ部１０２の近傍にピックアップ１０７が設置されている。ピックアップ１０７は、例えば、圧電素子を有するものであって、ブリッジ部１０２に固定された弦１０５が接する位置に設置されている。
【００１６】
弦１０５が振動すると、ピックアップ１０７が有する圧電素子に加わる圧力が変化し、この圧力変化に応じて電気信号が出力される。この弦の振動に応じた電気信号が、ピックアップ電気信号としてピックアップ１０７から出力される。ピックアップ１０７から出力された電気信号は、図示しないピックアップ回路を介して、胴部１０１に設けられているジャック１０８から出力される。ジャック１０８には、ピックアップケーブル１０の入力端子１が挿入される。
【００１７】
●ピックアップケーブルの構造（１）
次に、本発明に係る弦楽器用ピックアップケーブルの構成について説明する。図２は、ピックアップケーブル１０の例を示す平面図である。図２に示すように、ピックアップケーブル１０は、入力端子１と、出力端子２と、入力端子１と出力端子２とを結線するケーブル３と、を有してなる。
【００１８】
入力端子１は、モノラルのオス−プラグであって、入力先端部電極１１と、入力軸部電極１２と、切り替え部１３と、を有してなる。切り替え部１３の詳細な構成については後述する。出力端子２は、モノラルのオス−プラグであって、出力先端部電極２１と、出力軸部電極２２と、を有してなる。
【００１９】
図３は入力端子１の先端部分の拡大縦断面図である。図３に示すように、入力端子１の入力先端部電極１１の内部にはマイクロホン（内蔵マイク１１１）が設置されている。内蔵マイク１１１は、コンデンサーマイクロホンまたはダイナミックマイクロホンなどを適宜選択して用いることができる。コンデンサーマイクロホンを用いるときには、後述する切り替え部１３に内蔵される電池を動作電源とする。
【００２０】
内蔵マイク１１１の出力端子は、ケーブル３を介して出力端子２へと結線されている。結線の詳細は後述する。また、入力先端部電極１１の先端部分には、内蔵マイク１１１において集音される音の入り口となる通気口１１２が形成されている。
【００２１】
●集音構造
次に、ピックアップケーブル１０によってギター１００の内部空間の音（例えば共鳴音）を集音する構造について説明する。図４は、入力端子１がジャック１０８に挿入されたときの状態を示す胴部１０１の一部拡大断面図である。ジャック１０８は円筒形状の部材であって、胴部１０１の外壁から胴部１０１の内部の空洞（内部空間）に突出するように設置されている。ジャック１０８には、ピックアップ１０７からの電気信号（ピックアップ電気信号）を出力するためのピックアップ回路１０９が結線されていて、入力先端部電極１１にはピックアップ回路１０９の信号線が、また、入力軸部電極１２にはピックアップ回路１０９の接地線が、それぞれ電気的に接続されている。
【００２２】
ジャック１０８の長さは、入力端子１が挿入されて固定される状態において、入力端子１の先端部分が胴部１０１の内部空間に露出する程度の長さである。入力端子１の先端内部は、通気口１１２を介して胴部１０１の内部空間と連通する。よって、内部空間の音は、通気口１１２を介して内蔵マイク１１１において集音され、電気信号に変換されて集音電気信号となる。このように胴部１０１の内部空間の音からなる集音電気信号を、ピックアップケーブル１０を介し、アンプ２００（図１参照）に向けて出力することができる。
【００２３】
●ピックアップケーブル１０の結線
次に、本実施の形態に係るピックアップケーブル１０の結線について、図５の結線図を用いて説明する。一般に、入力先端部電極１１と出力先端部電極２１は、「チップ」と呼ばれ、信号線が結線される。また、入力軸部電極１２と出力軸部電極２２は、「スリーブ」と呼ばれ、接地線が結線される。
【００２４】
図５に示すように、ピックアップ１０７はピックアップ回路１０９を介して入力先端部電極１１と入力軸部電極１２に電気的に接続されるように結線されている。入力先端部電極１１は切り替え部１３に内蔵される切り替えスイッチ１３１の第１接点１３１ａに電気的に接続されるように結線されている。また、入力軸部電極１２は、出力軸部電極２２に電気的に接続されるように結線されている。
【００２５】
内蔵マイク１１１はマイク駆動回路１３２に接続されていて、マイク駆動回路１３２の出力端子のうち、信号線の端子は、切り替えスイッチ１３１の第２接点１３１ｂに電気的に接続されるように結線されている。また、マイク駆動回路１３２からの出力端子のうち、接地線の端子は、入力軸部電極１２と共に出力軸部電極２２に電気的に接続されるように結線されている。
【００２６】
マイク駆動回路１３２には、内蔵マイク１１１の駆動電源となるバッテリー１３３が接続されている。
【００２７】
切り替えスイッチ１３１の切片は、出力先端部電極２１に電気的に接続されるように結線されている。切片が第１接点１３１ａ側にあるとき、ピックアップ１０７から出力されるピックアップ電気信号が、出力端子２から出力される。切片が第２接点１３１ｂ側にあるときは、内蔵マイク１１１から出力される集音電気信号が出力端子２から出力される。
【００２８】
このように、本実施の形態に係るピックアップケーブル１０によれば、ギター１００のジャック１０８に挿入した状態で、切り替え部１３を操作して切り替えスイッチ１３１を切り替えることで、ピックアップ１０７から出力されるピックアップ電気信号が出力される状態と、胴部１０１の内部空間の音（例えば共鳴音）による集音電気信号が出力される状態とを、適宜切り替えることができる。
【００２９】
これによって、ギター１００に新たなにピックアップ機構を設けることなく、また、ギター１００の胴部１０１にピックアップ機構を貼り付けることなく、ギター１００は従来の構造のままで、弦１０５から直接得られる音（振動音）と、ギター１００の本来の音（内部空間の音）と、を任意に切り替えて出力させることができる。
【００３０】
●ピックアップケーブルの構造（２）
次に、本発明に係るピックアップケーブルの別の実施の形態について説明をする。図６は、本実施の形態に係るピックアップケーブルを構成するピックアップケーブル１０ａと分岐ケーブル１０ｂの例を示す図である。つまり、分岐ケーブル１０ｂは、本発明に係るピックアップケーブルの一部を構成する。図６において、ピックアップケーブル１０ａは入力端子１と、出力端子２ａと、入力端子１と出力端子２ａとを結線するケーブル３と、を有してなる。また、分岐ケーブル１０ｂは、出力端子２ａが挿入される分岐端子４と、図示しないアンプ２００にそれぞれ接続可能な第１分岐出力端子５および第２分岐出力端子６と、を有してなる。
【００３１】
入力端子１は、モノラルのオス−プラグであって、入力先端部電極１１と、入力軸部電極１２と、を有してなる。
【００３２】
出力端子２ａは、ステレオのオス−プラグであって、出力先端部電極２１と出力軸部電極２２との間に、出力先端部電極２１と出力軸部電極２２の相方と絶縁材を介して配置される出力中央部電極２３を有してなる。この出力中央部電極２３は、一般に「リング」と呼ばれ、信号線が結線される。
【００３３】
●分岐ケーブルの構造
分岐ケーブル１０ｂは、出力端子２ａに接続して用いる。出力端子２ａが挿入される分岐端子４は、第１出力部である出力先端部電極２１が接して電気的に接続する第１接触端子と、第２出力部である出力中央部電極２３が接して電気的に接続する第２接触端子と、接地線が結線される出力軸部電極２２が接して電気的に接続する第３接触端子と、をそれぞれ備えている。分岐端子４が備える各接触端子は、第１分岐ケーブル３ａおよび第２分岐ケーブル３ｂを介して、第１分岐出力端子５または第２分岐出力端子６、に結線されている。
【００３４】
●ピックアップケーブル１０ａの結線
次に、ピックアップケーブル１０ａの結線の例について図７を用いて説明する。図７はピックアップケーブル１０ａの結線図である。図７に示すように、ピックアップ１０７はピックアップ回路１０９を介して入力先端部電極１１と入力軸部電極１２に電気的に接続されるように結線されている。入力先端部電極１１は、出力先端部電極２１に結線されている。入力軸部電極１２は、出力軸部電極２２に結線されている。
【００３５】
また、内蔵マイク１１１はマイク駆動回路１３２に接続されていて、マイク駆動回路１３２の出力端子のうち、信号線の端子は、出力中央部電極２３に電気的に接続されるように結線されている。またマイク駆動回路１３２の出力端子のうち、接地線の端子は、入力軸部電極１２と共に出力軸部電極２２に電気的に接続されるように結線されている。また、マイク駆動回路１３２には、内蔵マイク１１１の駆動電源となるバッテリー１３３が接続されている。
【００３６】
このように、入力端子１を介して入力されるピックアップ電気信号と集音電気信号は、出力端子２ａが備える２つの信号線の端子である、出力先端部電極２１と出力中央部電極２３のそれぞれから出力されるように結線されている。
【００３７】
●分岐ケーブルの結線
次に、ピックアップケーブル１０ａに接続される分岐ケーブル１０ｂの結線の例について図８を用いて説明する。図８に示すように、分岐ケーブル１０ｂの分岐端子４には、出力先端部電極２１が接して電気的に接続する第１接触端子４１と、出力中央部電極２３が接して電気的に接続する第２接触端子４３と、出力軸部電極２２が接して電気的に接続する第３接触端子４２と、をそれぞれ備えている。
【００３８】
第１接触端子４１は第１分岐ケーブル３ａを介して第１分岐出力端子５の第１分岐出力先端部電極５１に結線されている。第２接触端子４３は、第２分岐ケーブル３ｂを介して第２分岐出力端子６の第２分岐出力先端部電極６１に結線されている。第３接触端子４２は、第１分岐ケーブル３ａを介して第１分岐出力端子５の第１分岐出力軸部電極５２に結線されると共に、第２分岐ケーブル３ｂを介して第２分岐出力端子６の第２分岐出力軸部電極６２に結線されている。
【００３９】
分岐端子４に出力端子２ａが挿入されて、ピックアップケーブル１０ａと分岐ケーブル１０ｂが電気的に接続されると、ピックアップ１０７から出力されたピックアップ電気信号は、入力端子１の入力先端部電極１１からケーブル３を介して出力端子２の出力先端部電極２１に出力される。出力先端部電極２１から出力されるピックアップ電気信号は、第１接触端子４１から第１分岐ケーブル３ａを介して、第１分岐出力先端部電極５１に出力される。
【００４０】
また、内蔵マイク１１１から出力された集音電気信号は、ケーブル３を介して出力中央部電極２３から出力される。出力中央部電極２３から出力される集音電気信号は、第２接触端子４３から第２分岐ケーブル３ｂを介して、第２分岐出力先端部電極６１に出力される。
【００４１】
入力軸部電極１２と、内蔵マイク１１１の接地線は、ケーブル３を介して出力軸部電極２２と電気的に接続され、この出力軸部電極２２は、第３接触端子４２と第１分岐ケーブル３ａを介して第１分岐出力軸部電極５２に、また、第２分岐ケーブル３ｂを介して第２分岐出力軸部電極６２に電気的に接続される。
【００４２】
このように本実施の形態に係るピックアップケーブル１０ａと分岐ケーブル１０ｂによれば、ピックアップ１０７から出力されるピックアップ電気信号と、内蔵マイク１１１から出力される集音電気信号とを、ジャック１０８に挿入された入力端子１から取り出すことができ、分岐ケーブル１０ｂによって、それぞれを別々の出力先（アンプやスピーカーなど）に出力させることができる。
【００４３】
以上まとめると、本発明に係るピックアップケーブルは、出力端子（２ａ）が、ピックアップ電気信号を出力する第１出力部（２１）と、集音電気信号を出力する第２出力部（２３）と、を備える。さらに、第１出力部と接触する第１接触端子（４１）と、第２出力部と接触する第２接触端子（４３）と、第１接触端子からのピックアップ電気信号を出力する第１分岐出力端子（５）と、第２接触端子からの集音電気信号を出力する第２分岐出力端子（６）と、を備える。
【００４４】
なお、本発明に係るピックアップケーブルは、上記実施の形態に示したピックアップケーブル１０ａと分岐ケーブル１０ｂとを接続する形態に限ることはなく、出力端子２ａと分岐端子４を設けることなく、入力端子１と第１分岐出力端子５および第２分岐出力端子６とを直接結線してもよい。この場合、入力端子１の入力先端部電極１１と第１分岐出力端子５の第１分岐出力先端部電極５１が直接結線され、内蔵マイク１１１の信号線と第２分岐出力端子６の第２分岐出力先端部電極６１が直接結線されればよい。また、入力軸部電極１２と内蔵マイク１１１の接地線が、第１分岐出力軸部電極５２と第２分岐出力軸部電極６２にそれぞれ直接結線されればよい。
【００４５】
これによって、ギター１００は従来の構造のまま、弦１０５の振動から直接得られる振動音と、ギター１００の本来の音（内部空間の音）を、別々の装置から出力させることができる。
【００４６】
●ピックアップケーブルの構造（３）
次に、本発明に係るピックアップケーブルのさらに別の実施の形態について説明をする。図９は、本実施の形態に係るピックアップケーブルを構成するピックアップケーブル１０ａと混合器７を備える混合ケーブル１０ｃの例を示す図である。つまり、混合ケーブル１０ｃは本発明に係るピックアップケーブルの一部を構成する。図９において、ピックアップケーブル１０ａは入力端子１と、出力端子２ａと、入力端子１と出力端子２ａとを結線するケーブル３と、を有してなる。また、混合ケーブル１０ｃは、出力端子２ａが挿入される混合器７と、図示しないアンプ２００に接続可能な混合出力端子８と、を有してなる。ピックアップケーブル１０ａは、すでに説明をしたものと同じであるから、説明を省略する。
【００４７】
●混合ケーブルの構造
混合ケーブル１０ｃは、ピックアップケーブル１０ａの出力端子２ａに接続して用いるものであって、出力端子２ａが挿入される混合器７と、混合出力端子８と、を有してなる。
【００４８】
混合器７は、第１出力部である出力先端部電極２１が接して電気的に接続する第１接触端子と、第２出力部である出力中央部電極２３が接して電気的に接続する第２接触端子と、第３出力部である出力軸部電極２２が接して電気的に接続する第３接触端子と、をそれぞれ備えていて、各接触端子は、後述するミキサー回路７４に入力されるように構成されている。混合器７には操作部であるスライドスイッチ７０が設置されていて、このスライドスイッチ７０によって、出力端子２ａを介して混合器７に入力される２つ電気信号の混合比率を決定することができる。また、混合出力端子８は、混合出力先端部電極８１と、混合出力軸部電極８２と、を有してなる。
【００４９】
●混合ケーブルの結線
次に、ピックアップケーブル１０ａと混合ケーブル１０ｃの結線の例について説明する。ピックアップケーブル１０ａの結線は、図７に示したものと同様であるから、説明を省略する。混合ケーブル１０ｃの結線図を図１０に示す。
【００５０】
図１０において、混合器７には、ピックアップケーブル１０ａの出力端子２ａが挿入されたときに、出力先端部電極２１が接して電気的に接続する第１接触混合端子７１と、出力中央部電極２３が接して電気的に接続する第２接触混合端子７３と、出力軸部電極２２が接して電気的に接続する第３接触混合端子７２と、をそれぞれ備えている。
【００５１】
第１接触混合端子７１、第２接触混合端子７３、第３接触混合端子７２、はそれぞれミキサー回路７４の入力端子となっている。
【００５２】
出力端子２ａが混合器７に挿入されて、ピックアップケーブル１０ａと混合ケーブル１０ｃが電気的に接続されると、ピックアップ１０７から出力されるピックアップ電気信号は、入力端子１の入力先端部電極１１からケーブル３を介して出力端子２の出力先端部電極２１に出力さる。出力先端部電極２１から出力されるピックアップ電気信号は、第１接触混合端子７１を介してミキサー回路７４に入力される。
【００５３】
また、内蔵マイク１１１から出力された集音電気信号は、ケーブル３を介して出力中央部電極２３に出力される。出力中央部電極２３から出力される集音電気信号は、第２接触混合端子７３を介してミキサー回路７４に入力される。入力軸部電極１２と、内蔵マイク１１１の接地は、ケーブル３を介して出力軸部電極２２と電気的に接続し、この出力軸部電極２２は第３接触混合端子７２を介してミキサー回路７４の接地線に電気的に接続される。
【００５４】
ミキサー回路７４は、第１接触混合端子７１から入力されるピックアップ電気信号と、第２接触混合端子７３から入力される集音電気信号とを、図示しないスライドスイッチ７０の位置に応じて合成して出力する構成を備えている。ミキサー回路７４からの出力は、混合出力端子８の、混合出力先端部電極８１と、混合出力軸部電極８２を介して出力される。
【００５５】
このように本実施の形態に係るピックアップケーブル１０ａと混合ケーブル１０ｃによれば、ピックアップ１０７から出力される電気信号と、内蔵マイク１１１から出力される電気信号とを、１つの入力端子１から入力させ、それぞれの電気信号の混合率を任意に調整して出力装置（アンプ２００など）に出力することができる。
【００５６】
以上まとめると、本発明に係るピックアップケーブルは、出力端子（２ａ）が、ピックアップ電気信号を出力する第１出力部（２１）と、集音電気信号を出力する第２出力部（２３）と、を備える。さらに、第１出力部と接触する第１接触端子（７１）と、第２出力部と接触する第２接触端子（７３）と、第１接触端子からのピックアップ電気信号と第２接触端子からの集音電気信号との混合信号を出力する混合器（７）と、混合信号を出力する混合出力端子（８）と、を備え、混合器は、第１接触端子からのピックアップ電気信号と第２接触端子からの集音電気信号との混合率を決定する決定部（７４）を備える。
【００５７】
なお、本発明に係るピックアップケーブルは、上記実施の形態に示したピックアップケーブル１０ａと混合ケーブル１０ｃとを接続する形態に限ることはなく、出力端子２ａを設けることなく、ケーブル３と混合器７とを直接結線してもよい。この場合、入力端子１の入力先端部電極１１と混合器７の第１接触混合端子７１が直接結線され、内蔵マイク１１１の信号線と混合器７の第２接触混合端子７３が直接結線されればよい。また、入力軸部電極１２と内蔵マイク１１１の接地線が、混合器７の第３接触混合端子７２と直接結線されればよい。
【００５８】
これによって、ギター１００は従来の構造のまま、弦１０５の振動から直接得られる振動音と、ギター１００の本来の音（内部空間の音）の出力割合を容易に調整して、出力することができる。
【符号の説明】
【００５９】
１      入力端子
２      出力端子
３      ケーブル
１０    ピックアップケーブル
１０７  ピックアップ
１０９  ピックアップ回路
１１１  内蔵マイク
【図１】
2014002179.tif 000003
【図２】
2014002179.tif 000004
【図３】
2014002179.tif 000005
【図４】
2014002179.tif 000006
【図５】
2014002179.tif 000007
【図６】
2014002179.tif 000008
【図７】
2014002179.tif 000009
【図８】
2014002179.tif 000010
【図９】
2014002179.tif 000011
【図１０】
2014002179.tif 000012